(57)【要約】  【課題】  公園や道路の路肩等の花壇に苗木を植付ける場合に、植付けが容易であると共に、環境に配慮しつつ、苗木の周りに雑草が生えることを防止することができ、苗木の乾燥を防止することができる種苗育成堆肥形成体を提供することを目的とする。  【解決手段】  培養土を圧縮して形成された錐体形状からなり、上端部に苗木または種子を植え付ける堆肥形成部２０と、凹部の中央に孔が設けられた凹レンズ形状からなり、前記上端部の外周縁と前記孔とが接合されているマルチング材１０とを有する種苗育成堆肥形成体である。  【選択図】  図１
2007060946.tif 000002
【特許請求の範囲】
【請求項１】
培養土を圧縮して形成された錐体形状からなり、上端部に苗木または種子を植え付ける本体部と、
凹部の中央に孔が設けられた凹レンズ形状からなり、前記上端部の外周縁と前記孔とが接合されているマルチング部と、
を有することを特徴とする種苗育成堆肥形成体。
【請求項２】
前記マルチング部は、生物分解性物質から構成されることを特徴とする請求項１に記載の種苗育成堆肥形成体。
【請求項３】
前記本体部において、前記上端部から前記本体部の先端部に進むに従って、前記本体部を構成する培養土の圧縮比率を高めることを特徴とする請求項１または請求項２に記載の種苗育成堆肥形成体。
【請求項４】
前記上端部に植え付けられた苗木または種子の周りに、殺虫剤、木酢液、銀色塗料の少なくとも１を塗布することを特徴とする請求項１〜請求項３のいずれか１項に記載の種苗育成堆肥形成体。
【請求項５】
前記マルチング部の一の凹部の表面に、所定の印刷がされていることを特徴とする請求項１〜請求項４のいずれか１項に記載の種苗育成堆肥形成体。
【発明の詳細な説明】
【技術分野】
【０００１】
本発明は、公園や道路の路肩等の花壇に苗木を植付ける場合等に用いる種苗育成堆肥形成体に関する。
【背景技術】
【０００２】
従来、公園や道路の路肩等の花壇においては、季節に応じて、公共工事（緑化工事）として苗木の植え替えが行われている。
【０００３】
図４は、従来の種まきから定植までのプロセスの概略を示す図である。
一般的に、公園や道路の路肩等の花壇に苗木を植付ける場合、定植をするまでには、図４に示すように、主に、（１）播種（は種）→（２）育苗→（３）鉢上げ→（４）定植という４段階の作業工程を行う必要がある。
【０００４】
なお、播種の工程では播種専用の培養土を使い、鉢上げの工程では鉢上げ専用の培養土を使う。播種専用の培養土は、肥料分が少なく殺菌や滅菌されている土であり、鉢上げ専用の培養土は、肥料分が多く保水・排水性の良い土であって定植する際に丈夫な根を作ることができる土である。
【０００５】
上記で示す各作業工程の中で、鉢上げ工程は、専用のポリ鉢等を準備したり、専用の培養土を用いたりする必要があるので、特に気を使うことが多い。また、定植の工程は、移植ゴテで地面を掘り、鉢上げ用ポリ鉢から苗木を抜き取り、抜き取った苗木を掘った地面に植え付ける作業工程である。このため、この作業に慣れるまでに時間がかかると共に、作業時間が長いという問題がある。つまり、公園や道路の路肩等の花壇に苗木を植付ける場合、定植の工程において作業時間・労力の面でコストを抑えることが困難であるという問題がある。
【０００６】
この問題を解決する技術として特許文献１には、結合手段により組み合わせ状態が保持された２個の半割部材の組み合わせからなる育苗ポットが開示されている。当該半割部材には、開口上部を閉じる半割形状の蓋部分が一体成形され、この蓋部分のほぼ中央部に苗木の茎部分を導き出す孔部が設けられている。また、当該育苗ポットには、半割部材の上端の外周縁の全長に一定幅のフランジが略水平に設けられている。
【０００７】
なお、特許文献１に記載の育苗ポットの上端部には窪みが設けられ、この窪みに雨水を溜めて苗木に水分を供給する（段落００２９）。しかし、上端部に設けられた窪みは小さく上端の外周縁に設けられたフランジが略水平であるので、苗木に雨水を充分集めることができない場合がある。そうすると、降水量が少ない時期等には、苗木に供給される水分が不足し、苗木を乾燥から守ることができないという問題がある。
【０００８】
また、緑化工事の現場において、地面に敷設した防草シート等のシート材の上から育苗ポットを地面へ埋込んだ際に、シート材の破断が生じても、半割部材の上端の外周縁に設けられたフランジが当該シート材を押さえるので、地面の露出を防止し雑草の発生を抑制する（段落００３１）。しかし、地面がデコボコしている花壇にシート材を使用せずに特許文献１に記載の育苗ポットを用いて植付けをする場合、フランジが略水平に設けられているので、植付け後に、地面とフランジとの間から太陽の光が入り込み、フランジの下部に雑草が発生するという問題がある。つまり、苗木の近傍に発生する雑草の発生を防止することができないという問題がある。
【特許文献１】特開２００４−２５４６０４号公報
【発明の開示】
【発明が解決しようとする課題】
【０００９】
本発明は、上記問題に鑑みてなされたものであり、公園や道路の路肩等の花壇に苗木を植付ける場合に、植付けが容易であると共に、環境に配慮しつつ、苗木の周りに雑草が生えることを防止することができ、苗木の乾燥を防止することができる種苗育成堆肥形成体を提供することを目的とする。
【００１０】
本発明は、公園や道路の路肩等の花壇に苗木を植付ける場合に、植付けが容易であると共に、植付け後に苗木の成長を視覚的に楽しむことができる種苗育成堆肥形成体を提供することを目的とする。
【課題を解決するための手段】
【００１１】
本発明は、例えば、図１、２に示すように、培養土を圧縮して形成された錐体形状からなり、上端部に苗木または種子を植え付ける本体部（堆肥形成部２０）と、凹部の中央に孔が設けられた凹レンズ形状からなり、前記上端部の外周縁と前記孔とが接合されているマルチング部（マルチング材１０）とを有することを特徴とする種苗育成堆肥形成体である。
【００１２】
なお、前記マルチング部は、生物分解性物質から構成されることを特徴とする。また、前記本体部において、前記上端部から前記本体部の先端部に進むに従って、前記本体部を構成する培養土の圧縮比率を高めることを特徴とする。さらに、前記上端部に植え付けられた苗木または種子の周りに、殺虫剤、木酢液、銀色塗料の少なくとも１を塗布することを特徴とする。また、前記マルチング部の一の凹部の表面に、所定の印刷がされていることを特徴とする。
【発明の効果】
【００１３】
本発明によれば、公園や道路の路肩等の花壇に苗木を植付ける場合に、植付けが容易であると共に、環境に配慮しつつ、苗木の周りに雑草が生えることを防止することができ、苗木の乾燥を防止することができるという効果を奏する。
また、本発明によれば、公園や道路の路肩等の花壇に苗木を植付ける場合に、植付けが容易であると共に、植付け後に苗木の成長を視覚的に楽しむことができるという効果を奏する。
【発明を実施するための最良の形態】
【００１４】
以下、本発明の実施の形態である種苗育成堆肥形成体について、図面を参照して詳細に説明する。
【００１５】
図１は、本発明の一実施の形態である種苗育成堆肥形成体１００を示す図である。図１（１）は、種苗育成堆肥形成体１００の外観を示す斜視図であり、図１（２）は、種苗育成堆肥形成体１００の断面図である。
【００１６】
種苗育成堆肥形成体１００は、マルチング材（マルチング部）１０と、堆肥形成部（本体部）２０と、セル部３０とで構成されている。
【００１７】
図２は、種苗育成堆肥形成体１００を構成するマルチング材１０と、堆肥形成部２０と、セル部３０とをそれぞれに分解した場合の外観を示す斜視図である。
図３は、種苗育成堆肥形成体１００を地面に設置した場合における種苗育成堆肥形成体１００の断面を示す断面図である。
【００１８】
マルチング材１０は、再生紙を原料とするプラスチック状に固めた円柱の紙部材であって、上端面と下端面とに相当する部分がすり鉢状に凹形状となっている。また、すり鉢状になっている凹部１１、１２の底部に相当する部分（真中部分）に円形の孔部１０ａが設けられている。つまり、マルチング材１０は、凹部に円形の孔部１０ａが設けられた凹レンズ形状の紙部材である。なお、マルチング材１０は、基本的には再生紙のような生物分解性物質から構成されるが、凹部１１の表面１１ａに直接印刷ができるものが好ましい。
【００１９】
マルチング材１０の凹部１１は、上向きに開いたすり鉢状であるので、凹部１１の表面１１ａに降った雨水が中央の孔部１０ａに集まり、孔部１０ａの中に流れる。このように、凹部１１の表面１１ａに降った雨水を集めて苗木４０に供給する水分にすることができるので、苗木４０の水分不足を防止する。また、特に水分を必要とする苗木４０が小さい頃には、マルチング材１０が分解される前であるので、苗木４０の水分不足を防止する効果が高い。なお、凹部１１の表面１１ａに降った雨水を中央の孔部１０ａに集めることができる形状であれば、すり鉢状以外の椀状形状等の他の凹形状とするようにしてもよい。
【００２０】
マルチング材１０の凹部１２は、下向きに開いたすり鉢状であるので、マルチング材１０と地面との間から太陽の光が入り込むことを防止すると共に、雑草の種が新たに進入し定着することを防止する。これによって、マルチング材１０の下部に雑草が発生することを防止することができる。つまり、苗木４０の近傍に発生する雑草の発生を防止することができる。さらに、雨水による苗木４０へのドロはねを防止することができる。また、種苗育成堆肥形成体１００を地面に挿し込んだ場合には、図３に示すように、地面と凹部１２とで空間１２ｂを形成する。このため、保温作用があり、苗木４０の近傍の地温を生育適温近くに保つことができる。さらに、地面を凹部１２で覆うので、地面から水分の蒸発を防止し、苗木４０の近傍（マルチング材１０の下部）の土の乾燥を防止する。
【００２１】
なお、地面がデコボコしている花壇にシート材を使用しないで種苗育成堆肥形成体１００を使用する場合であっても、凹部１２の外周縁１２ａが地面の凹凸に応じて食い込むので、凹部１２の外周縁１２ａと地面とが密着する。このため、植付け後に、マルチング材１０の下部に太陽の光が入り込むことを防止すると共に、マルチング材１０の下部に雑草の種が新たに進入し定着することを防止する。なお、凹部１２の外周縁１２ａと地面とを密着することができる形状であれば、すり鉢状以外の他の凹形状とするようにしてもよい。また、マルチング材１０が適度の可撓性を有するようにしてもよく、凹部１２の外周縁１２ａが地面の凹凸に応じて任意に変形可能とするようにしてもよい。
【００２２】
凹部１１の表面１１ａには、銀色塗布部１３と殺虫剤塗布部１４とが設けられている。銀色塗布部１３と殺虫剤塗布部１４とのそれぞれは、孔部１０ａの周りにリング状に形成されている。また、マルチング材１０の孔部１０ａには、脱落防止部１５が設けられている。
【００２３】
銀色塗布部１３は、アブラムシが嫌がる銀色をリング状に塗布した部分である。なお、銀色塗布部１３には、環境に害の少ない塗料やインク等を使用して銀色を付する。
【００２４】
殺虫剤塗布部１４は、リング状に殺虫剤を塗布した部分である。苗木４０が小さい時には害虫の影響を受けやすいので、殺虫剤塗布部１４に殺虫剤を塗布することによって、苗木４０が小さい時の害虫の影響を防止する。なお、殺虫剤塗布部１４には害虫の影響を防止することができる程度の殺虫剤を塗布する。また、殺虫剤を塗布する代わりに、殺虫剤塗布部１４には、木酢液等の害虫除去剤を浸透させるようにしてもよい。
【００２５】
脱落防止部１５は、孔部１０ａに堆肥形成部２０を挿し込んだときに脱落を防止するための部分である。具体的には、孔部１０ａの径の大きさを堆肥形成部２０の上端面２０ａの径よりも小さくし、脱落防止部１５には切目を入れたひだ状のものを設けている。これによって、孔部１０ａに堆肥形成部２０を挿し込んだ際に、孔部１０ａに堆肥形成部２０が密着し、マルチング材１０と堆肥形成部２０とが離れることを防止し、マルチング材１０と堆肥形成部２０とを接合させることができる。
【００２６】
凹部１１の表面１１ａには、苗木４０に関する花の名前や性質等の説明を印刷する。または、苗木４０に関する花の成長過程を示す写真等を印刷したり、苗木４０に関する育て方や注意書き等を印刷する。このように、凹部１１の表面１１ａに、苗木４０に関する情報を表示することによって、苗木４０を見た人が、苗木４０の種類等を容易に把握することができ、苗木４０の成長を楽しむことができる。また、１箇所の花壇に複数種類の苗木を植える場合、苗木毎にその説明が付されているので、植え付けの間違えを防止すると共に、定植後の管理を容易にすることができる。また、表面１１ａに企業の広告情報を記載することができる。このように、凹部１１の表面１１ａを企業の広告として使用すれば、広告収入を得ることができる。なお、凹部１１の表面１１ａの一部を苗木４０に関する説明に使用し、残りの部分を広告として使用することができる。
【００２７】
マルチング材１０の素材として、バーク堆肥、チップ、ワラ、落ち葉、コモ、腐葉土、木炭、動植物残渣、樹皮マルチに使用される針葉樹の樹皮等を原料としたプラスチック状に固めたものを用いる（植物プラスチック）ようにしてもよい。このように、マルチング材１０の素材として、紙、バーク堆肥等の生物分解性の物質、または、太陽光で分解される物質を使用するので、植物が生長する頃の３〜６月経過後にマルチング材１０自体は分解され、自然に土に還る。このため、苗木４０が小さい時には、乾燥を防止し雑草の発生を防止し苗木の成長を促進することができ、植物が生長する頃には、分解されるので、環境汚染を防止することができる。なお、マルチング材１０の素材の関係で、マルチング材１０自体に文字等の印刷を施すことができないような場合には、凹部１１の表面１１ａに紙を貼付し、貼付した紙に文字等の印刷を施すようにする。
【００２８】
堆肥形成部２０は、下端部（先端部）が尖った円錐型の形状をした、バーク堆肥、チップ、腐葉土、ピートモス、木炭等を主成分とする二重構造の圧縮培養土であって、第一形成部２１と第二形成部２２とセル部収納部２３と膨張部２４とで構成される。なお、苗木４０の根は、先端部付近では細くなり、葉に近い上端部付近では広く根を伸ばし成長するので、堆肥形成部２０の形状は円錐または三角錐が適している。ただし、堆肥形成部２０の形状は、下端部を地面に挿し込む際に適する形状であれば、他の形状とするようにしてもよい。例えば、三角錐、四角錐等の多角錐型の形状や、円柱体の下端部を斜めに切断した形状とするようにしてもよい。このように堆肥形成部２０の形状を他の形状にする場合には、マルチング材１０の孔部１０ａの形状を堆肥形成部２０の上端部の形状に合わせる。なお、堆肥形成部２０は、上端部側から先端側に進むに従って、圧縮比率を高めて形成する。堆肥形成部２０の素材として、基本的に、苗木４０の根の育成を害するようなものは使用しない。
【００２９】
具体的に、堆肥形成部２０の素材は、バーク堆肥、チップ、腐葉土、ピートモス、木炭等に、赤土（粘土質系の土）を混ぜて圧縮したものである。なお、第一形成部２１と第二形成部２２との混合比率は、互いに異なる比率を使用する。また、アンカーとなる膨張部２４には、膨張しやすい素材と根の発育を促す素材とを使用する。
【００３０】
なお、バーク堆肥は、広葉樹や針葉樹の樹皮（バーク）を主原料とする、微生物の働きを利用して作られる有機質土壌改良材である。ピートモスは、水苔等の寒冷地の湿地帯の草本植物が堆積している体積層から採取された園芸、栽培用土である。
【００３１】
第一形成部２１の上端部には、セル部３０を収納するセル部収納部２３を設ける。また、第一形成部２１は発芽した苗木４０に近い部分であるので、第一形成部２１の成分として肥料を多くしてはいけないが、苗木４０の根が張り易いようにセル部３０よりも肥料を多くし、赤土等の土を少量混合する。
【００３２】
第二形成部２２は、第一形成部２１を覆うように形成する。また、第二形成部２２は、苗木４０が大きくなりつつある場合に、強い根を張っていく必要がある部分であるので、通常の土に近い培養土を主成分とすることが好ましい。ただし、培養土の圧縮比率を、先端部に進むに従って高くするので、第二形成部２２の先端部付近は、ピートモス・バーク堆肥等の弾力に富んだ成分で構成する。
【００３３】
セル部収納部２３は、セル部３０を収納する、第一形成部２１の上端部に設けられた穴であり、セル部３０の外形とほぼ同様の形状である。
【００３４】
膨張部２４は、第二形成部２２の先端部分にある、圧縮率が高い部分であり、水を吸収した際の膨張率が他の部分よりも高い。このため、種苗育成堆肥形成体１００を地面に差し込んだ際に、堆肥形成部２０が土壌の水分を吸収し、この吸収によって各部が膨張する。この場合、図２において破線で示すように、特に、膨張部２４の膨張率が高いので、膨張した膨張部２４がアンカーの役割を果たし、種苗育成堆肥形成体１００が風等で引き抜かれることを防止する。また、地面に種苗育成堆肥形成体１００を直接挿し込むので、膨張部２４の圧縮比率を高くして強度を高め、先端部が折れるのを防止する。
【００３５】
セル部３０は、花の種や野菜の種を入れるものであり、その主成分は、ピートモスであり、肥料成分が低く保水力に富んだものである。セル部３０に苗木４０を入れる方法として、発芽させた苗木を培養土にセットする方法（図２の左側３０）と、培養土に種を直接セットした後に多くの水を与えて苗木を生育させる方法（図２の右側３０）との二通りの方法がある。なお、セル部３０を保存する場合には、花の種等にカビや湿気の影響で種子の発芽等に問題がないように乾燥・殺菌保存とする。なお、図２に示すセル部３０の高さ、直径の数値は一例である。
【００３６】
上記で示したように、種苗育成堆肥形成体１００を三層構造にすることによって、定植作業における「播種→鉢上げ→定植」という一連の作業を一体化することができる。このため、定植作業の作業時間や労力等を低減させることができる。なお、セル部３０は、肥料があると苗木４０の発芽が悪くなる部分であり、第一形成部２１は、苗木４０に徐々に肥料を与えて苗木４０の根に力をつける部分であり、第二形成部２２は、第一形成部２１よりも肥料の比率を高くし、苗木４０の根にさらに力をつける部分である。このため、種苗育成堆肥形成体１００の構造は、上記で示した三層構造が最適である。なお、種苗育成堆肥形成体１００の構造については、上記で示した肥料の構成比率になるようにすれば、一層、二層、または四層以上の構成にするようにしてもよい。
【００３７】
次に、種苗育成堆肥形成体１００の製造方法について説明する。
バーク堆肥に赤土を混ぜて堆肥形成部２０を製造する場合について説明する。最初に、赤土をペースト状に解かし、解かした赤土をバーク堆肥に絡める。続いて、バーク堆肥に赤土を絡めたものに熱を加えながら乾燥・圧縮し、第一形成部２１を形成する（加熱・乾燥圧縮法）。続いて、上記と同様に、バーク堆肥に赤土を絡めたものに熱を加えながら乾燥・圧縮し、第一形成部２１の周りに第二形成部２２を形成する（加熱・乾燥圧縮法）。このように、各製造工程において、バーク堆肥に赤土を絡めたものを加熱することによって、雑草の種や用土中の殺菌をすることができる。また、かん水・雨水によって、用土が根の育成を阻害しないものとする必要がある。なお、上記と同様に、バーク堆肥に赤土を絡めたものを型に入れることによって、第一形成部２１及び第二形成部２２を形成し、形成した第一形成部２１及び第二形成部２２を接合することによって、堆肥形成部２０を製造するようにしてもよく、その他の製造方法を使用して堆肥形成部２０を製造するようにしてもよい。
【００３８】
次に、種苗育成堆肥形成体１００の使用方法について説明する。
公園や道路の路肩等の花壇に苗木４０を植付ける場合、当該花壇における所定の位置に種苗育成堆肥形成体１００の先端部を挿し込む。続いて、図３に示すように、凹部１２の外周縁１２ａが地面と密着し外周縁１２ａと地面とに隙間がなくなる程度まで種苗育成堆肥形成体１００を地面に挿し込む。この場合に、凹部１１の表面１１ａに記載された説明等を、この花壇の近くを通る人が見易いように挿し込む。
【００３９】
本実施の形態によれば、培養土（播種用・鉢上げ用）が少なくて済むので、育苗と鉢上げを省力化することができる。また、殺虫・殺菌剤を塗布するので、害虫等を除去でき、苗木の管理が容易である。さらに、公園や道路の路肩等の花壇に苗木４０を植付ける場合、ワン・プッシュで押し込むことができるので、作業時間や労力の面でのコストを低減させることができる。また、花壇の植替え時にマルチング材が表面に残ることもなく、廃棄物の発生を防止することができる。
【００４０】
また、本実施の形態によれば、公園や道路の路肩等の花壇に苗木４０を植付ける場合に、植付けが容易であると共に、環境に配慮しつつ、苗木４０の周りに雑草が生えることを防止することができ、苗木４０の乾燥を防止することができる。
【００４１】
また、本実施の形態によれば、公園や道路の路肩等の花壇に苗木４０を植付ける場合に、植付けが容易であると共に、植付け後に苗木４０の成長を視覚的に楽しむことができる。
【００４２】
なお、セルや圧縮培養土の混合比を変えることによって、植木等にも本実施の形態を適用することができ、緑化工事にも適用することができる。
【実施例１】
【００４３】
次に、本発明の一実施例である実施例１について説明する。
種苗育成堆肥形成体１００において、マルチング材１０として紙を使用し、堆肥形成部２０の第一形成部２１としてバーク堆肥及び赤土を使用し、第二形成部２２としてバーク堆肥及び赤土を使用し、セル部３０としてピートモスを使用する。なお、第一形成部２１及び第二形成部２２に使用するバーク堆肥及び赤土の混合比は、変更している。
【００４４】
また、種苗育成堆肥形成体１００において、セル部３０を高さ２５ｍｍ、直径１５ｍｍの円柱とし、堆肥形成部２０の上端面の直径を５０ｍｍ、高さ１００ｍｍとし、マルチング材１０の直径を１２０ｍｍとした。また、セル部３０には苗木としてベゴニアを植えた。なお、他の苗木として、花壇苗では、マリーゴールド、サルビア、パンジー、ヒマワリ等を植えることができ、野菜苗では、キャベツ、ハクサイ、ニンジン、ダイコン、スイカ、トマト、ナス等を植えることができる。
【００４５】
種苗育成堆肥形成体１００を用いて公園や道路の路肩等の花壇に苗木を植付ける場合、種苗育成堆肥形成体１００を花壇にワン・プッシュで押し込み、図３に示すように、花壇に苗木を植付けることができる。このため、植付け作業が容易である。
【産業上の利用可能性】
【００４６】
公園や道路の路肩等の花壇に苗木を植付ける場合等に用いる苗育ポットに、本発明を利用することができる。
【図面の簡単な説明】
【００４７】
【図１】種苗育成堆肥形成体１００の外観を示す斜視図。
【図２】種苗育成堆肥形成体１００を構成するマルチング材１０と、堆肥形成部２０と、セル部３０とをそれぞれに分解した場合の外観を示す斜視図。
【図３】種苗育成堆肥形成体１００を地面に設置した場合における種苗育成堆肥形成体１００の断面を示す断面図。
【図４】従来の種まきから定植までのプロセスの概略を示す図。
【符号の説明】
【００４８】
１００……種苗育成堆肥形成体、
１０……マルチング材、
２０……堆肥形成部、
３０……セル部。
【図１】
2007060946.tif 000003
【図２】
2007060946.tif 000004
【図３】
2007060946.tif 000005
【図４】
2007060946.tif 000006
【手続補正書】
【提出日】平成18年1月27日(2006.1.27)
【手続補正１】
【補正対象書類名】特許請求の範囲
【補正対象項目名】全文
【補正方法】変更
【補正の内容】
【特許請求の範囲】
【請求項１】
培養土を圧縮して形成された錐体形状からなり、上端部に苗木または種子を植え付ける本体部と、
凹部の底部に孔が設けられた凹レンズ形状からなり、前記上端部の外周縁と前記孔とが接合されているマルチング部と、
を有し、前記本体部において、前記上端部から前記本体部の先端部に進むに従って、前記本体部を構成する培養土の圧縮比率を高めることを特徴とする種苗育成体。
【請求項２】
培養土を圧縮して形成された錐体形状からなり、上端部に苗木または種子を植え付ける本体部と、
凹部の底部に孔が設けられた凹レンズ形状からなり、前記上端部の外周縁と前記孔とが接合されているマルチング部と、
を有し、前記本体部における他の部分よりも圧縮率を高くし水を吸収した際の膨張率を高くした部分である膨張部を、前記本体部の先端部に設けたことを特徴とする種苗育成体。
【請求項３】
培養土を圧縮して形成された錐体形状からなり、上端部に苗木または種子を植え付ける本体部と、
両面共に凹部となる凹レンズ形状からなり、当該凹部の底部に孔が設けられ、前記上端部の外周縁と前記孔とが接合されているマルチング部と、
を有することを特徴とする種苗育成体。
【請求項４】
前記本体部において、前記上端部から前記本体部の先端部に進むに従って、前記本体部を構成する培養土の圧縮比率を高めることを特徴とする請求項２または請求項３に記載の種苗育成体。
【請求項５】
前記マルチング部は、生物分解性物質から構成されることを特徴とする請求項１乃至請求項４のいずれか１項に記載の種苗育成体。
【請求項６】
前記上端部に植え付けられた苗木または種子の周りに、殺虫剤、木酢液、銀色塗料の少なくとも１を塗布することを特徴とする請求項１乃至請求項５のいずれか１項に記載の種苗育成体。
【請求項７】
前記マルチング部の一の凹部の表面に、所定の印刷がされていることを特徴とする請求項１乃至請求項６のいずれか１項に記載の種苗育成体。
【請求項８】
前記凹部の孔は、前記凹部の中央に設けられていることを特徴とする請求項１乃至請求項７のいずれか１項に記載の種苗育成体。
【手続補正３】
【補正対象書類名】明細書
【補正対象項目名】０００１
【補正方法】変更
【補正の内容】
【０００１】
本発明は、公園や道路の路肩等の花壇に苗木を植付ける場合等に用いる種苗育成体に関する。
【手続補正４】
【補正対象書類名】明細書
【補正対象項目名】０００９
【補正方法】変更
【補正の内容】
【０００９】
本発明は、上記問題に鑑みてなされたものであり、公園や道路の路肩等の花壇に苗木を植付ける場合に、植付けが容易であると共に、環境に配慮しつつ、苗木の周りに雑草が生えることを防止することができ、苗木の乾燥を防止することができる種苗育成体を提供することを目的とする。
【手続補正５】
【補正対象書類名】明細書
【補正対象項目名】００１０
【補正方法】変更
【補正の内容】
【００１０】
本発明は、公園や道路の路肩等の花壇に苗木を植付ける場合に、植付けが容易であると共に、植付け後に苗木の成長を視覚的に楽しむことができる種苗育成体を提供することを目的とする。
【手続補正６】
【補正対象書類名】明細書
【補正対象項目名】００１１
【補正方法】変更
【補正の内容】
【００１１】
本発明は、例えば、図１、２に示すように、培養土を圧縮して形成された錐体形状からなり、上端部に苗木または種子を植え付ける本体部（堆肥形成部２０）と、凹部の底部に孔が設けられた凹レンズ形状からなり、前記上端部の外周縁と前記孔とが接合されているマルチング部（マルチング材１０）とを有し、前記本体部において、前記上端部から前記本体部の先端部に進むに従って、前記本体部を構成する培養土の圧縮比率を高めることを特徴とする種苗育成体である。
また、本発明は、例えば、図１、２に示すように、培養土を圧縮して形成された錐体形状からなり、上端部に苗木または種子を植え付ける本体部（堆肥形成部２０）と、凹部の底部に孔が設けられた凹レンズ形状からなり、前記上端部の外周縁と前記孔とが接合されているマルチング部（マルチング材１０）とを有し、前記本体部における他の部分よりも圧縮率を高くし水を吸収した際の膨張率を高くした部分である膨張部を、前記本体部の先端部に設けたことを特徴とする種苗育成体である。
また、本発明は、例えば、図１、２に示すように、培養土を圧縮して形成された錐体形状からなり、上端部に苗木または種子を植え付ける本体部（堆肥形成部２０）と、両面共に凹部となる凹レンズ形状からなり、当該凹部の底部に孔が設けられ、前記上端部の外周縁と前記孔とが接合されているマルチング部（マルチング材１０）とを有することを特徴とする種苗育成体である。
【手続補正７】
【補正対象書類名】明細書
【補正対象項目名】００１２
【補正方法】変更
【補正の内容】
【００１２】
なお、前記マルチング部は、生物分解性物質から構成されることを特徴とする。また、前記本体部において、前記上端部から前記本体部の先端部に進むに従って、前記本体部を構成する培養土の圧縮比率を高めることを特徴とする。さらに、前記上端部に植え付けられた苗木または種子の周りに、殺虫剤、木酢液、銀色塗料の少なくとも１を塗布することを特徴とする。また、前記マルチング部の一の凹部の表面に、所定の印刷がされていることを特徴とする。また、前記凹部の孔は、前記凹部の中央に設けられていることを特徴とする。